(57)【要約】【課題】  摩擦条件の異なるパッド面を簡単に入れ替えることのできるようにする。【解決手段】  用紙を１枚ずつさばいて送る給紙ローラー１７と、給紙ローラー１７と対接し摩擦で用紙を送る給紙パッド１６とを備えた紙折り機において、給紙パッド１６を、三角柱状に形成して着脱自在に配設し、その三周面に互いに摩擦条件が異なる３種類のパッド面を配置する。これにより、三角柱状の給紙パッド１６の配置状態を変更するだけで、摩擦条件の異なる３種類のパッド面のいずれかを用紙を送るために使用することができる。【選択図】        図９
2005239305.tif 000002
【特許請求の範囲】
【請求項１】
用紙を１枚ずつさばいて送る給紙ローラーと、該給紙ローラーと対接し摩擦で用紙を送る給紙パッドとを備えた紙折り機において、
前記給紙パッドを、多角柱状に形成して着脱自在に配設し、その各周面に互いに摩擦条件が異なる複数種類のパッド面を配置したことを特徴とする紙折り機。
【請求項２】
用紙を１枚ずつさばいて送る給紙ローラーと、該給紙ローラーと対接し摩擦で用紙を送る給紙パッドとを備えた紙折り機において、
前記給紙パッドを、三角柱状に形成して着脱自在に配設し、その三周面に互いに摩擦条件が異なる３種類のパッド面を配置したことを特徴とする紙折り機。
【請求項３】
前記給紙パッドを、使用されるパッド面と反対側の頂稜の中央部分を点当てで保持してシーソーのように軸長方向にガタを持たせて前記給紙ローラー全体に当てる自調芯としたことを特徴とする請求項２に記載の紙折り機。
【請求項４】
前記給紙パッドの３頂稜に近い部分に第１の支点軸を、前記給紙パッドの軸長端面に第２の支点軸を設けて、該第２の支点軸の軸長方向とは直交する方向にも若干のアソビを持たせたことを特徴とする請求項２または請求項３に記載の紙折り機。
【請求項５】
前記第２の支点軸の両端の直径を異ならしめたことを特徴とする請求項４に記載の紙折り機。
【請求項６】
前記給紙パッドの押し圧を、数段階にわたり変更することができるパッド圧調節ツマミを備えることを特徴とする請求項２，請求項３または請求項４に記載の紙折り機。
【請求項７】
前記給紙パッドを点支持する支点部材と、該支点部材を取り付け揺動自在に配設されたパッド圧調節クランクと、該パッド圧調節クランクと前記パッド圧調節ツマミとの間に介挿された弾性手段とを備えることを特徴とする請求項６に記載の紙折り機。
【請求項８】
モーターとスイッチとだけで電気的に動作および停止を制御する紙折り機において、
給紙トレイの紙切れを検出する紙切れパッドと、
前記紙切れパッドが紙切れを検出したときに外れる紙切れラッチと、
前記紙切れラッチが外れたときに減速歯車で時間を稼ぎながら回転するスイッチカムと、
前記スイッチカムの回転により給紙トレイの最終用紙が紙折り機外に完全に排出された時点でモーターへの通電を遮断する紙切れスイッチと
を備えることを特徴とする紙折り機。
【請求項９】
前記紙切れスイッチを、操作レバーと連動する紙切れスイッチクランクに取り付けることにより、前記操作レバーが試し折り位置にある場合には前記スイッチカムによって切れることがない位置に前記紙切れスイッチを退避させ、前記操作レバーが連続折り位置にある場合には前記スイッチカムによって切れることがある位置に前記紙切れスイッチを移動させるようにしたことを特徴とする請求項８に記載の紙折り機。
【請求項１０】
前記紙切れスイッチと電源スイッチとがモーターに直列に配線されていて、どちらか一方または両方のスイッチが切れたときにモーターが停止することを特徴とする請求項８または請求項９に記載の紙折り機。
【請求項１１】
給紙ローラーと紙折りローラー群とを備え、試し折りと連続折りとができる紙折り機において、
ストップ−スタート−試し折り−連続折りの一連の動作を、ストップ位置，スタート位置，試し折り位置および連続折り位置への移動操作で切り換える操作レバーを備えることを特徴とする紙折り機。
【請求項１２】
前記操作レバーのストップ位置で電源スイッチが切れ、前記操作レバーのスタート位置で前記電源スイッチが入り、前記操作レバーの試し折り位置で前記紙切れスイッチが切れることのない位置に退避し、前記操作レバーの連続折り位置で前記紙切れスイッチが切れることがある位置に移動することを特徴とする請求項１１に記載の紙折り機。
【請求項１３】
給紙ローラーと紙折りローラー群とを備え、試し折りと連続折りとができる紙折り機において、
モーターの回転により回転するプーリーと、
前記プーリーとクラッチスプリングを介して同軸的に取り付けられ、かつ前記給紙ローラーと同軸的に取り付けられたクラッチスプリングハブと、
前記クラッチスプリングハブと掛合するクラッチスプリングクランクと、
紙切れスイッチを取り付ける紙切れスイッチクランクと、
前記クラッチスプリングクランクおよび前記紙切れスイッチクランクとカムを介して連結する操作レバーと、
前記操作レバーと係合する電源スイッチと
を有することを特徴とする紙折り機。
【請求項１４】
前記操作レバーがストップ位置にあるときには前記操作レバーが前記電源スイッチと係合してモーターが停止した状態になり、前記操作レバーがスタート位置にあるときには前記クラッチスプリングクランクが前記クラッチスプリングハブと掛合して前記給紙ローラーが回転しない空回り状態になり、前記操作レバーが試し折り位置にあるときには前記クラッチスプリングクランクが前記クラッチスプリングハブとの掛合を一時的に外して前記給紙ローラーが１回転して止る状態になり、前記操作レバーが連続折り位置にあるときには前記クラッチスプリングクランクと前記クラッチスプリングハブとの掛合が外れて前記給紙ローラーが連続回転する状態になることを特徴とする請求項１３に記載の紙折り機。
【請求項１５】
前記操作レバーが試し折り位置にあるときに、前記操作レバーにスタート位置に戻ろうとする付勢力を与える手段を備えることを特徴とする請求項１３または請求項１４に記載の紙折り機。
【請求項１６】
前記操作レバーが連続折り位置にあるときに、前記操作レバーを連続折り位置に保持する手段を備えることを特徴とする請求項１３または請求項１４に記載の紙折り機。
【発明の詳細な説明】
【技術分野】
【０００１】
本発明は紙折り機に関し、例えば便せん，チラシ，カタログ等の用紙を折り畳む際に用いて好適な紙折り機に関する。
【背景技術】
【０００２】
従来、この種の紙折り機は、電子制御を用いずにモーターへの電源のオン−オフだけで動作を行なう機種と、電子制御を用いて高度な制御を行なう機種とがあった（例えば、特許文献１，特許文献２等参照）。
【特許文献１】特開平５−２３８６３７号公報（第３−４頁、図１）
【特許文献２】特開平１１−２０３９０号公報（第３−４頁、図１）
【発明の開示】
【発明が解決しようとする課題】
【０００３】
従来技術では、用紙の各種類（紙質，サイズ，重量，厚さなど）に対して、１種類の摩擦条件の給紙パッドしか提供されていなかった。このため、更紙，ＰＰＣ（plain paper copier）紙，上質紙などは、１種類の給紙パッドで全て対応できたが、アート紙，コート紙，カタログ印刷紙などは、紙同士がくっつきやすくて対応できない場合があった。また、用紙のサイズ，重量，厚さなどが変わった場合に、給紙パッドの摩擦条件に大小の変化があり、１種類では対応できない場合があった。そのため、専用の適した給紙パッドの摩擦条件が必要になっていた。
【０００４】
また、電子制御を用いずにモーターへの電源のオン−オフだけで動作を行なう紙折り機では、紙切れスイッチが紙切れを検出すると、すぐに紙折り機の動作が停止するために、最終用紙が紙折り機外に完全には排出されなかった。このため、紙切れスイッチが紙切れを検出しても、別スイッチで最終用紙が紙折り機外に完全に排出されるまで紙折り機を動作させる必要があった。
【０００５】
さらに、電子制御を用いて高度な制御を行なう紙折り機や、他に給紙ローラーだけを停止させるクラッチ機構の無い紙折り機では、給紙ローラーと紙折りローラー群とが一緒に回転するため、用紙１枚だけを試し折りすることはできなかった。用紙１枚だけの試し折りを可能にするためには、給紙ローラーは用紙を１枚だけ送ったならば回転を停止し、紙折りローラー群は用紙を折って紙折り機外に完全に排出するまで回転させる必要があり、給紙ローラーの回転と紙折りローラー群の回転とを別々に動作させる構造が必要になる。
【０００６】
上記問題を背景として、本発明の課題は、それぞれの用紙に合った紙さばきができるように、１つの給紙パッドに摩擦条件の異なる複数種類のパッド面を備えるようにした紙折り機を提供することを目的とする。具体的には、摩擦条件の異なる３種類のパッド面を備えた三角柱状の給紙パッドを着脱自在に設けたことにより、摩擦条件の異なるパッド面を簡単に入れ替えることのできる紙折り機を提供することを目的とする。
【０００７】
また、本発明の課題は、電子制御基板やセンサを使わずに、紙切れスイッチが入っても、最終用紙が紙折り機外に完全に排出されるまで紙折り機の動作を機械的に遅らせて停止させるようにした紙折り機を提供することを目的とする。
【０００８】
さらに、本発明の課題は、用紙１枚だけの試し折りを可能にするために、給紙ローラーは用紙を１枚だけ送ったならば回転を停止し、紙折りローラー群は用紙を折って紙折り機外に完全に排出するまで回転させるようにした紙折り機を提供することを目的とする。
【課題を解決するための手段および発明の効果】
【０００９】
本発明は、上記課題を解決するための紙折り機を提供するものである。即ち、請求項１によれば、用紙を１枚ずつさばいて送る給紙ローラーと、該給紙ローラーと対接し摩擦で用紙を送る給紙パッドとを備えた紙折り機において、前記給紙パッドを、多角柱状に形成して着脱自在に配設し、その各周面に互いに摩擦条件が異なる複数種類のパッド面を配置した紙折り機として構成される。上記構成によって、多角柱状の給紙パッドの配置状態を変更することだけで、摩擦条件の異なる複数種類のパッド面のいずれかを用紙を送るために使用することができる。
【００１０】
請求項２によれば、本発明の紙折り機は、用紙を１枚ずつさばいて送る給紙ローラーと、該給紙ローラーと対接し摩擦で用紙を送る給紙パッドとを備えた紙折り機において、前記給紙パッドを、三角柱状に形成して着脱自在に配設し、その三周面に互いに摩擦条件が異なる３種類のパッド面を配置した紙折り機として構成される。上記構成によって、三角柱状の給紙パッドの配置状態を変更することだけで、摩擦条件の異なる３種類のパッド面のいずれかを用紙を送るために使用することができる。
【００１１】
請求項３によれば、本発明の紙折り機は、前記給紙パッドを、使用されるパッド面と反対側の頂稜の中央部分を点当てで保持してシーソーのように軸長方向にガタを持たせて前記給紙ローラー全体に当てる自調芯とする構成とすることもできる。この構成によって、給紙パッドを給紙ローラーに確実に当て付けることができる。
【００１２】
請求項４によれば、本発明の紙折り機は、前記給紙パッドの３頂稜に近い部分に第１の支点軸を、前記給紙パッドの軸長端面に第２の支点軸を設けて、該第２の支点軸の軸長方向とは直交する方向にも若干のアソビを持たせた構成とすることもできる。この構成によって、給紙パッドを給紙ローラーにより確実に当て付けることができる。
【００１３】
請求項５によれば、本発明の紙折り機は、前記第２の支点軸の両端の直径を異ならしめた構成とすることもできる。この構成によって、第２の支点軸の両端を反対にして給紙パッドが装着されることを未然に防止することができる。
【００１４】
請求項６によれば、本発明の紙折り機は、前記給紙パッドの押し圧を、数段階にわたり変更することができるパッド圧調節ツマミを備える構成とすることもできる。この構成によって、給紙パッドの各パッド面についてそれぞれ押し圧を数段階に変化できるので、ほとんどあらゆる用紙に対応することが可能になる。
【００１５】
請求項７によれば、本発明の紙折り機は、前記給紙パッドを点支持する支点部材と、該支点部材を取り付け揺動自在に配設されたパッド圧調節クランクと、該パッド圧調節クランクと前記パッド圧調節ツマミとの間に介挿された弾性手段とを備える構成とすることもできる。この構成によって、給紙パッドの各パッド面の押し圧を容易に数段階にわたって変化させることができる。
【００１６】
請求項８によれば、本発明の紙折り機は、モーターとスイッチとだけで電気的に動作および停止を制御する紙折り機において、給紙トレイの紙切れを検出する紙切れパッドと、前記紙切れパッドが紙切れを検出したときに外れる紙切れラッチと、前記紙切れラッチが外れたときに減速歯車で時間を稼ぎながら回転するスイッチカムと、前記スイッチカムの回転により給紙トレイの最終用紙が紙折り機外に完全に排出された時点でモーターへの通電を遮断する紙切れスイッチとを備える構成である。この構成によって、電子制御基板やセンサを使わずに、紙切れを検出したときに、最終用紙を紙折り機外に完全に排出してから紙折り機の動作を停止させることができる。また、電気回路では、紙切れ停止の後に、最終用紙を紙折り機外に完全に排出する別のスイッチが必要になるが、機械的に遅延させることで別のスイッチが必要なくなる。さらに、電子制御基板やセンサを使わないことにより、大幅なコストダウンを実現することができる。
【００１７】
請求項９によれば、本発明の紙折り機は、前記紙切れスイッチを、操作レバーと連動する紙切れスイッチクランクに取り付けることにより、前記操作レバーが試し折り位置にある場合には前記スイッチカムによって切れることがない位置に前記紙切れスイッチを退避させ、前記操作レバーが連続折り位置にある場合には前記スイッチカムによって切れることがある位置に前記紙切れスイッチを移動させる構成とすることもできる。この構成によって、電子制御を用いない紙折り機においても、試し折りのときには紙切れが検出されないようにし、連続折りのときには紙切れが検出されるようにすることができる。
【００１８】
請求項１０によれば、本発明の紙折り機は、前記紙切れスイッチと電源スイッチとがモーターに直列に配線されていて、どちらか一方または両方のスイッチが切れたときにモーターが停止する構成とすることもできる。この構成によって、連続折りのときに紙切れが発生しても確実にモーターを停止させることができる。
【００１９】
請求項１１によれば、本発明の紙折り機は、給紙ローラーと紙折りローラー群とを備え、試し折りと連続折りとができる紙折り機において、ストップ−スタート−試し折り−連続折りの一連の動作を、ストップ位置，スタート位置，試し折り位置および連続折り位置への移動操作で切り換える操作レバーを備える構成である。本構成によって、電子制御基板やセンサ，アクチュエータを使わずに、用紙１枚の試し折りと連続折りとが可能になる。また、電子制御基板やセンサを使わないことにより、大幅なコストダウンを実現することができる。
【００２０】
請求項１２によれば、本発明の紙折り機は、前記操作レバーのストップ位置で電源スイッチが切れ、前記操作レバーのスタート位置で前記電源スイッチが入り、前記操作レバーの試し折り位置で前記紙切れスイッチが切れることのない位置に退避し、前記操作レバーの連続折り位置で前記紙切れスイッチが切れることがある位置に移動する構成とすることもできる。この構成によって、電子制御を用いない紙折り機においても、試し折りのときには紙切れが検出されないようにし、連続折りのときには紙切れが検出されるようにすることができる。
【００２１】
請求項１３によれば、本発明の紙折り機は、給紙ローラーと紙折りローラー群とを備え、試し折りと連続折りとができる紙折り機において、モーターの回転により回転するプーリーと、前記プーリーとクラッチスプリングを介して同軸的に取り付けられ、かつ前記給紙ローラーと同軸的に取り付けられたクラッチスプリングハブと、前記クラッチスプリングハブと掛合するクラッチスプリングクランクと、紙切れスイッチを取り付ける紙切れスイッチクランクと、前記クラッチスプリングクランクおよび前記紙切れスイッチクランクとカムを介して連結する操作レバーと、前記操作レバーと係合する電源スイッチとを有する構成である。この構成によって、電子制御基板やセンサ，アクチュエータを使わずに、用紙１枚の試し折りと連続折りとが可能になる。
【００２２】
請求項１４によれば、本発明の紙折り機は、前記操作レバーがストップ位置にあるときには前記操作レバーが前記電源スイッチと係合してモーターが停止した状態になり、前記操作レバーがスタート位置にあるときには前記クラッチスプリングクランクが前記クラッチスプリングハブと掛合して前記給紙ローラーが回転しない空回り状態になり、前記操作レバーが試し折り位置にあるときには前記クラッチスプリングクランクが前記クラッチスプリングハブとの掛合を一時的に外して前記給紙ローラーが１回転して止る状態になり、前記操作レバーが連続折り位置にあるときには前記クラッチスプリングクランクと前記クラッチスプリングハブとの掛合が外れて前記給紙ローラーが連続回転する状態になる構成とすることもできる。この構成によって、電子制御基板やセンサ，アクチュエータを使わずに、用紙１枚の試し折りと連続折りとが可能になる。
【００２３】
請求項１５によれば、本発明の紙折り機は、前記操作レバーが試し折り位置にあるときに、前記操作レバーにスタート位置に戻ろうとする付勢力を与える手段を備える構成とすることもできる。この構成によって、用紙１枚の試し折りを確実に行なうことができる。
【００２４】
請求項１６によれば、本発明の紙折り機は、前記操作レバーが連続折り位置にあるときに、前記操作レバーを連続折り位置に保持する手段を備える構成とすることもできる。この構成によって、連続折りを確実に連続して行なうことができる。
【発明を実施するための最良の形態】
【００２５】
用紙のサイズ，重量，厚さなどが変わった場合に、給紙パッドの摩擦条件に大小の変化があり、１種類では対応できない場合があるため、専用の適した給紙パッドの摩擦条件を提供するという目的を、三角柱状で三周面に摩擦条件の異なる３種類のパッド面を配置する給紙パッドを着脱自在に配設することにより実現した。
【００２６】
また、電気的にモーターとスイッチとだけで動作および停止を制御する紙折り機において、紙切れを検出したときに、最終用紙を紙折り機外に完全に排出してから停止させるという目的を、紙切れパッドが動作することにより、紙切れラッチが外れて、減速歯車で時間を稼ぎながらスイッチカムが回転して紙切れスイッチを切ることにより実現した。
【００２７】
さらに、電子制御基板やセンサ，アクチュエータを使わずに、用紙１枚の試し折りと連続折りとを可能にするという目的を、ストップ（電源オフ）−スタート（電源オン）−試し折り（１枚折り）−連続折り（紙切れで自動停止）の一連の動作を１つの操作レバーの操作だけで行なうことにより実現した。
【実施例】
【００２８】
以下、本発明の一実施例に係る紙折り機について図面を用いて説明する。
【００２９】
図１は、本発明の一実施例に係る紙折り機１の背面斜視図である。図２は、本発明の一実施例に係る紙折り機１の中央断面図である。図３は、図１および図２中の紙折り機本体１０を示す要部分解斜視図である。図４，図５，図６および図７は、紙折り機本体１０の正面図，上面図，右側板面図および左側板面図である。
【００３０】
紙折り機１は、図１に示すように、紙折り機本体１０と、紙折り機本体１０に斜め上後方（図１においては前方）から着脱自在に取り付けられる給紙カセット２０と、紙折り機本体１０に斜め上前方（図１においては後方）から着脱自在に取り付けられる第一紙折りテーブル３０と、紙折り機本体１０内に斜め下後方（図１においては前方）から着脱自在に取り付けられる第二紙折りテーブル４０と、紙折り機本体１０に上方から着脱自在に取り付けられるアッパーカバー５０と、紙折り機本体１０から前方（図１においては後方）に引き出し可能に取り付けられたペーパースタッカー８０とから、その主要部が構成されている。
【００３１】
紙折り機本体１０には、図１に示すように、操作レバー１１と、紙切れパッド１２と、電源コード１４が接続されるインレット１３と、紙折り切替えレバー５１とが設けられている。また、紙折り機本体１０には、図３および図８に示すように、パッド圧調節ツマミ１５と、給紙パッド１６と、給紙ローラー１７と、紙送りローラー１８と、紙折りメインローラー１９と、紙折りサブローラー２１と、紙折りサブローラー２２と、パッド圧調節クランク２３と、パッド圧調節バネ２４と、支点部材２５とが設けられている。
【００３２】
給紙パッド１６は、図３および図８に示すように、三角柱状に形成されて、着脱自在に配設されている。そして、その三周面に互いに摩擦条件が異なる３種類のパッド面が配置されている。このため、給紙パッド１６は、使用されるパッド面と反対側の頂稜の中央部分を支点部材２５に点当てで保持してシーソーのように軸長方向にガタを持たせて給紙ローラー１７全体に当たる自調芯となっている。また、給紙パッド１６は、図９に示すように、３頂稜に近い部分に第１の支点軸（Ｉ）を、給紙パッド１６の軸長端面に第２の支点軸（II）を設けて、第２の支点軸（II）の軸長方向とは直交する方向にも若干のアソビ（自己補正のアソビ）を持たせた構成となっている。さらに、給紙パッド１６は、逆挿し防止のために、支点軸（II）が軸長方向の両端で直径が異なるように形成されている。
【００３３】
支点部材２５は、図８に示すように、揺動自在に配設されたパッド圧調節クランク２３に取り付けられており、パッド圧調節クランク２３は緊縮性のコイルバネ２４を介してパッド圧調節ツマミ１５に接続されている。よって、給紙ローラー１７が用紙を何枚も一緒に送ったり、空回りして送らなかったりする場合に、パッド圧調節ツマミ１５により給紙パッド１６の押し圧を微調整することができる。給紙パッド１６の押し圧は、図３に示すように、パッド圧調節ツマミ１５の線を水平になるように９０度回転させて、望む位置にスライドさせ、位置を合わせたならば、パッド圧調節ツマミ１５の線を垂直にして固定することにより、低い荷重から重い荷重の方に１から５段階に調節できるようになっている。これにより、給紙パッド１６の各パッド面についてそれぞれ押し圧を数段階に変化できるので、ほとんどあらゆる用紙に対応することが可能になる。
【００３４】
また、給紙ローラー１７や給紙パッド１６が摩耗して、紙折りができなくなったならば、新しいものと交換する。給紙ローラー１７を交換する場合には、給紙ローラー１７を、図３中のジョイントを外す方向に手で押して紙折り機本体１０の動力シャフトとのジョイントを外す。ジョイントが外れたならば、次に、矢印の方向に持ち上げるように、給紙ローラー１７を取り外す。また、給紙ローラー１７の交換後の取り付けの際には、ジョイントを確実に結合する。
【００３５】
給紙パッド１６自体の交換や、給紙パッド１６のパッド面の変更は、図９に示すように、給紙パッド１６を紙折り機本体１０から取り外して行う。給紙パッド１６は、支点軸（II）が軸長方向の両端で直径が異なるため、前後反対にして入れようとしても入らないようになっている。
【００３６】
給紙カセット２０には、図２に示すように、バネ等の弾性手段によって用紙を押し上げるように付勢された給紙トレイ２６と、給紙トレイ２６上に設けられた一対のペーパーガイド２７と、ペーパーリリースレバー２８（図１参照）と、斜め折れ調節ダイヤル２９（図１参照）とが設けられている。
【００３７】
第一紙折りテーブル３０には、図１に示すように、折り位置目盛３１が付されているとともに、ストッパー３３の位置を調整する折り位置調節ダイヤル３２が摺動かつ回転可能に設けられている。
【００３８】
第二紙折りテーブル４０にも、図１に示すように、折り位置目盛４１が付されているとともに、ストッパー４３の位置を調整する折り位置調節ダイヤル４２が摺動かつ回転可能に設けられている。
【００３９】
アッパーカバー５０には、図１に示すように、第一紙折りテーブル３０のみを使用する二つ折りと、第一紙折りテーブル３０および第二紙折りテーブル４０を使用する四つ折りとを切り替える紙折り切替えレバー５１を貫通させる透孔が設けられている。
【００４０】
図６を参照すると、紙折り機本体１０の右側板１００には、給紙ローラー１７，紙送りローラー１８，紙折りメインローラー１９，紙折りサブローラー２１，および紙折りサブローラー２２の右端がそれぞれ回転自在に軸支されているとともに、アッパーカバー５０の装着に連動してオンするカバーセイフティスイッチＳＷ３が設けられている。
【００４１】
図７を参照すると、紙折り機本体１０の左側板２００には、モーターＭの出力軸に取り付けられたプーリー５２と、プーリー５２とベルトで連結され紙折りメインローラー１９と同軸的に取り付けられたプーリー５３と、紙折りメインローラー１９，紙折りサブローラー２１および紙折りサブローラー２２間に掛け渡されこれらローラーを互いに圧着させて回転させるスプリング５４と、紙送りローラー１８を紙折りサブローラー２１に圧着させて回転させるスプリング５５と、プーリー５３と同軸的に形成されたプーリー５７とベルトで連結されたプーリー６０と、プーリー６０と一体に形成された減速歯車６０ａに噛合する減速歯車６１と、減速歯車６１に噛合する減速歯車６２と、プーリー６０とクラッチスプリング６０ｂを介して同軸的に取り付けられたクラッチスプリングハブ６０ｃ（図１４参照）と、クラッチスプリングハブ６０ｃと掛合するクラッチスプリングクランク６４と、紙切れスイッチＳＷ１を取り付ける紙切れスイッチクランク６５と、クラッチスプリングクランク６４および紙切れスイッチクランク６５とカムを介して連結された操作レバー１１と、操作レバー１１と係合する電源スイッチＳＷ２とが配設されている。なお、特には図示しなかったが、紙切れスイッチＳＷ１と電源スイッチＳＷ２とはモーターＭに電気的に直列に配線されて、いずれか一方が切れるとモーターＭへの通電が遮断され、両方が入るとモーターＭへの通電が開始されるようになっている。
【００４２】
紙切れスイッチＳＷ１を紙切れスイッチクランク６５に取り付けることにより、操作レバー１１と連動させて、試し折りの場合は紙切れスイッチＳＷ１を切ることがなく、連続折りの場合に紙切れスイッチＳＷ１を切ることができるようになる（紙切れスイッチＳＷ１を働かせることが可能になる）。
【００４３】
図１０（ａ）および（ｂ）は操作レバー１１がストップ位置にある状態（機械系の停止状態）、図１１（ａ）および（ｂ）は操作レバー１１がスタート位置にある状態（紙折りローラー群の回転状態）、図１２（ａ）および（ｂ）は操作レバー１１が試し折り位置にある状態（給紙ローラー１７の回転状態）、図１３（ａ）および（ｂ）は操作レバー１１が連続折り位置にある状態（給紙ローラー１７の回転状態）をそれぞれ示す要部左側板面図およびその一部抽出図である。ここで、ストップ位置とは、操作レバー１１を回動軸１１ａを中心として最も右（図１０（ａ）で見て）に旋回させた位置（紙折り機本体１０の正面から見て最も手前側に操作した位置）をいう。また、スタート位置とは、操作レバー１１を回動軸１１ａを中心として最も垂直（図１１（ａ）で見て）となるように旋回させた位置（紙折り機本体１０の正面から見てやや奥側に操作した位置）をいう。さらに、試し折り位置とは、操作レバー１１を回動軸１１ａを中心としてやや左（図１２（ａ）で見て）に旋回させた位置（紙折り機本体１０の正面から見てかなり奥側に操作した位置）をいう。さらにまた、連続折り位置とは、操作レバー１１を回動軸１１ａを中心として最も左（図１３（ａ）で見て）に旋回させた位置（紙折り機本体１０の正面から見て最も奥側に操作した位置）をいう。
【００４４】
操作レバー１１は、図１０（ａ）等に示すように、下端部を回動軸１１ａにより揺動自在に軸支されており、中央部に第一カム溝１１ｂおよび第二カム溝１１ｃが穿設されている。第一カム溝１１ｂは逆への字の形状をしており、第二カム溝１１ｃはＷ字の形状をしている。また、操作レバー１１の下端寄りから側腕部１１ｄが延設されており、一端を支軸６８に固定された緊縮性のコイルバネ６７の他端が側腕部１１ｄに係止されている。このため、操作レバー１１には、回動軸１１ａを中心として時計回り（図１０（ａ）で見て）の付勢力が与えられている。さらに、側腕部１１ｄは、電源スイッチＳＷ２に近接対向するように配置されており、図１０（ａ）に示すストップ位置では、電源スイッチＳＷ２に係合して、電源スイッチＳＷ２を切るようになっている。
【００４５】
図１４および図１５は、本実施例に係る紙折り機１における試し折りのためのスプリングクラッチ機構の要部平面図および要部側面図である。このスプリングクラッチ機構は、プーリー６０と、クラッチスプリング６０ｂと、給紙ローラー１７と同軸的に取り付けられたクラッチスプリングハブ６０ｃと、クラッチスプリングハブ６０ｃと掛合するクラッチスプリングクランク６４とを含んで構成されている。
【００４６】
プーリー６０は、図１４および図１５に示すように、クラッチスプリング６０ｂを介してクラッチスプリングハブ６０ｃに連結されているため、クラッチスプリングクランク６４のクラッチラッチ６４ｃがクラッチスプリングハブ６０ｃに掛合している状態では、プーリー６０が回転してもクラッチスプリングハブ６０ｃがクラッチスプリング６０ｂで空回りする状態となり、給紙ローラー１７は回転しない。しかし、試し折りでクラッチラッチ６４ｃがクラッチスプリングハブ６０ｃとの掛合を一旦外れたならば、プーリー６０の回転がクラッチスプリングハブ６０ｃに伝達され、給紙ローラー１７が回転する。そして、操作レバー１１がスタート位置に戻ることにより、再びクラッチラッチ６４ｃがクラッチスプリングハブ６０ｃに掛合すると、プーリー６０が回転してもクラッチスプリングハブ６０ｃがクラッチスプリング６０ｂで空回りする状態となり、給紙ローラー１７が１回転して止ることになる。さらに、連続折りでは、クラッチラッチ６４ｃがクラッチスプリングハブ６０ｃとの掛合を外れたままとなるので、プーリー６０の回転がクラッチスプリングハブ６０ｃに伝達され、給紙ローラー１７が連続回転することになる。
【００４７】
減速歯車６２には、図１４に示すように、摩擦ブレーキ６２ｂを介してスイッチカム６２ａが連結されている。スイッチカム６２ａは、半径が大きい部分と半径が小さい部分とを有する豆形の板状部材であり、半径の大きな部分で紙切れスイッチＳＷ１と係合するようになっている。また、スイッチカム６２ａと一体的に形成されたラッチ車６２ｃには、紙切れラッチ６３が掛合するようになっている。
【００４８】
紙切れラッチ６３は、紙切れパッド１２と同軸的に取り付けらており、図１４に示すように、一端を左側板２００に固定された緊縮性のコイルバネ７０の他端が固定されていて紙切れパッド１２とともに時計回り（図１０（ａ）等で見て）の付勢力を与えられている。このため、紙切れラッチ６３は、通常は、給紙トレイ２６の用紙に紙切れパッド１２が当接することにより、ラッチ車６２ｃに掛合する位置に保持されているが、給紙トレイ２６に用紙が無くなり、紙切れパッド１２がこれを検出すると、図１９（ａ）に示すように、紙切れラッチ６３がラッチ車６２ｃとの掛合を外れるようになっている。
【００４９】
クラッチスプリングクランク６４は、図１０（ｂ）等に示すように、横長の帯状板体で形成され、中央位置を回動軸６４ａで揺動自在に軸支されており、一端に操作レバー１１の第一カム溝１１ｂに嵌入するカムピン６４ｂが植設され、他端にクラッチスプリングハブ６０ｃと掛合するクラッチラッチ６４ｃが形成されている。
【００５０】
紙切れスイッチクランク６５は、図１０（ａ）等に示すように、横長の逆Ｌ字状板体で形成され、右端側の折曲部において回動軸６５ａによって揺動自在に軸支されており、その中央位置に紙切れスイッチＳＷ１が取り付けられている。また、紙切れスイッチクランク６５は、一端に操作レバー１１の第二カム溝１１ｃに嵌入するカムピン６５ｂが植設されている。さらに、紙切れスイッチクランク６５は、他端に支軸６８に一端を固着された緊縮性のコイルバネ６９の他端が係止されており、回動軸６５ａを中心として時計回り（図１０（ａ）等で見て）の付勢力を与えられている。さらにまた、紙切れスイッチクランク６５は、クラッチスプリングクランク６４，紙切れスイッチクランク６５間に掛け渡された緊縮性のコイルバネ６６によって、クラッチスプリングクランク６４に近づこうとする付勢力も与えられている。
【００５１】
次に、このように構成された本実施例に係る紙折り機１の動作について説明する。
【００５２】
本実施例に係る紙折り機１によれば、二つ折り、四つ折り、片袖折り、内三つ折り、外三つ折り、観音折り等の各種の折り方で用紙を折ることができる。
【００５３】
用紙の折り方の種類に応じて、紙折り切替えレバー５１を切り替える。紙折り切替えレバー５１が突出している位置では、第一紙折りテーブル３０および第二紙折りテーブル４０を使用する。また、紙折り切替えレバー５１が引っ込んでいる位置では、第一紙折りテーブル３０のみを使用する。
【００５４】
用紙の折り方の種類に応じて、第一紙折りテーブル３０の折り位置調節ダイヤル３２を押しながらスライドさせて、用紙を折りたい場所に折り位置目盛３１と折り位置調節ダイヤル３２の指針とを合わせる。また、紙折り切替えレバー５１が突出している位置では、同様に、第二紙折りテーブル４０の折り位置調節ダイヤル４２を押しながらスライドさせて、用紙を折りたい場所に折り位置目盛４１と折り位置調節ダイヤル４２の指針とを合わせる。
【００５５】
操作レバー１１がストップ位置にある状態では、図１０（ａ）に示すように、クラッチスプリングクランク６４のカムピン６４ｂおよび紙切れスイッチクランク６５のカムピン６５ｂが操作レバー１１の第一カム溝１１ｂおよび第二カム溝１１ｃの左端に位置し、紙切れスイッチクランク６５が回動軸６５ａを中心に時計方向（図１０（ａ）で見て）に旋回されていて紙切れスイッチＳＷ１が最も上方に移動している。このため、スイッチカム６２ａの軌跡が紙切れスイッチＳＷ１に係合し得る位置関係となる。しかし、操作レバー１１の側腕部１１ｄが電源スイッチＳＷ２に係合して、電源スイッチＳＷ２が切れているので、モーターＭに通電されず、紙折り機１は動作を停止したままである。また、図１０（ｂ）に示すように、クラッチスプリングクランク６４は、クラッチラッチ６４ｃがクラッチスプリングハブ６０ｃに掛合している。
【００５６】
操作レバー１１をストップ位置からスタート位置にすると、図１１（ａ）に示すように、操作レバー１１の側腕部１１ｄが電源スイッチＳＷ２から離れて、電源スイッチＳＷ２が入り、モーターＭに通電が開始されて、紙折りメインローラー１９，紙折りサブローラー２１および紙折りサブローラー２２が回転する。また、プーリー６０も回転するが、クラッチスプリングクランク６４のクラッチラッチ６４ｃがクラッチスプリングハブ６０ｃに掛合しているので、プーリー６０が回転してもクラッチスプリングハブ６０ｃがクラッチスプリング６０ｂでスリップして回転しない、すなわち給紙ローラー１７が回転しない空回りの状態となっている。
【００５７】
また、操作レバー１１がスタート位置にある状態では、図１１（ａ）に示すように、クラッチスプリングクランク６４のカムピン６４ｂおよび紙切れスイッチクランク６５のカムピン６５ｂが操作レバー１１の第一カム溝１１ｂおよび第二カム溝１１ｃのやや左端寄り（図１１（ａ）で見て）に位置し、紙切れスイッチクランク６５が回動軸６５ａを中心に反時計方向に旋回されていて、紙切れスイッチＳＷ１が下方に移動しているために、スイッチカム６２ａの軌跡が紙切れスイッチＳＷ１に関係しないようになっている。
【００５８】
次に、操作レバー１１をスタート位置から試し折り位置まで移動させると、用紙１枚だけを試し折りする。すなわち、操作レバー１１が試し折り位置に一旦移動すると、図１２（ａ）に示すように、第一カム溝１１ｂおよびカムピン６４ｂの作用により、クラッチスプリングクランク６４が回動軸６４ａを中心として時計方向に若干旋回し、クラッチラッチ６４ｃとクラッチスプリングハブ６０ｃとの掛合が一時的に外れる。このため、プーリー６０の回転がクラッチスプリング６０ｂを介してクラッチスプリングハブ６０ｃに伝達され、給紙ローラー１７が回転し、給紙トレイ２６から用紙が１枚ピックアップされて、紙送りローラー１８，紙折りサブローラー２１間に供給される。よって、用紙１枚の試し折りが開始される。ただし、操作レバー１１は、手を離すと、図１２（ａ）に示すように、カムピン６５ｂがカム溝１１ｃのＷ字状の右下端に位置しているので、緊縮性のコイルバネ６６，６７，６９等の緊縮弾力により、クラッチスプリングクランク６４，紙切れスイッチクランク６５間に互いに相近付こうとする力が働き、図１１（ａ）に示すように、カムピン６５ｂがカム溝１１ｃのＷ字状の中程上端に位置するスタート位置に戻る。このため、クラッチスプリングクランク６４は、第一カム溝１１ｂおよびカムピン６４ｂの作用により、クラッチスプリングクランク６４が回動軸６４ａを中心として反時計方向に若干旋回し、クラッチスプリングハブ６０ｃが１回転すると、クラッチラッチ６４ｃがクラッチスプリングハブ６０ｃと再び掛合する。よって、プーリー６０が回転してもクラッチスプリングハブ６０ｃがクラッチスプリング６０ｂでスリップして回転しない、すなわち給紙ローラー１７が回転しない空回りの状態に戻る。
【００５９】
また、操作レバー１１が試し折り位置にある状態では、図１２（ａ）に示すように、紙切れスイッチクランク６５のカムピン６５ｂが操作レバー１１の第二カム溝１１ｃの中程に位置し、紙切れスイッチクランク６５が回動軸６５ａを中心に反時計方向に旋回されていて、紙切れスイッチＳＷ１が下方に移動しているので、スイッチカム６２ａの軌跡が紙切れスイッチＳＷ１に関係しないようになっている。ただし、操作レバー１１は、手を離すと、既述したように、緊縮性のコイルバネ６６，６７，６９等の緊縮弾力により、クラッチスプリングクランク６４，紙切れスイッチクランク６５間に互いに相近付こうとする力が働き、スタート位置に戻るので、カムピン６４ｂおよびカムピン６５ｂも、図１１（ｂ）に示すような、第一カム溝１１ｂおよび１１ｃの左端寄りに位置するスタート位置に戻ることになる。
【００６０】
紙折り切替えレバー５１が突出している位置では、第一紙折りテーブル３０および第二紙折りテーブル４０を使用して紙折りを行なう（四つ折りなどの場合）。
【００６１】
詳しくは、四つ折りの紙折り方法では、図２２（ａ）に示すように、用紙は給紙ローラー１７と給紙パッド１６とによってピックアップされ、紙送りローラー１８および紙折りサブローラー２１によって第一紙折りテーブル３０に送り込まれ、第一紙折りテーブル３０のストッパー３３に突き当たり、紙折りサブローラー２１，紙折りメインローラー１９間でたわむ。次に、たわんだ用紙は、図２２（ｂ）に示すように、紙折りサブローラー２１，紙折りメインローラー１９間に引き込まれて、二つ折りの状態で第二紙折りテーブル４０に送り込まれ、第二紙折りテーブル４０のストッパー４３に突き当たり、紙折りメインローラー１９，紙折りサブローラー２２間でたわむ。続いて、二つ折り状態でたわんだ用紙は、図２２（ｃ）に示すように、紙折りメインローラー１９，紙折りサブローラー２２間に引き込まれて四つ折りの状態で紙折り機本体１０外に排出される。
【００６２】
また、紙折り切替えレバー５１が引っ込んでいる位置では、第一紙折りテーブル３０だけを使用して紙折りを行なう（二つ折りなどの１回折りの場合）。
【００６３】
詳しくは、二つ折りの紙折り方法では、図２３（ａ）に示すように、用紙は給紙ローラー１７と給紙パッド１６とによってピックアップされ、紙送りローラー１８および紙折りサブローラー２１によって第一紙折りテーブル３０に送り込まれ、第一紙折りテーブル３０のストッパー３３に突き当たり、紙折りサブローラー２１，紙折りメインローラー１９間でたわみ、紙折りサブローラー２１，紙折りメインローラー１９間に引き込まれて、二つ折りの状態で紙折り切替えレバー５１に突き当たる。次に、図２３（ｂ）に示すように、紙折り切替えレバー５１に突き当たった二つ折りの状態の用紙は、紙折りメインローラー１９，紙折りサブローラー２２間に引き込まれて二つ折りの状態で紙折り機本体１０外に排出される。
【００６４】
試し折りを行なって、紙折り寸法にズレがある場合には、折り位置調節ダイヤル３２および４２，ならびに斜め折れ調節ダイヤル２９等を用いて微調整を行なう。折り位置調節ダイヤル３２および４２を用いた微調整は、既述したように行なわれる。
【００６５】
斜め折れを補正するために微調整する場合は、斜め折れ調節ダイヤル２９を回転させて行なう。詳しくは、まず、斜め折れ調節ダイヤル２９を使って、用紙の斜行を補正し、次に給紙カセット２０の窓から、補正のための位置を確認しながら、斜め折れ調節ダイヤル２９を指先で回転させる。
【００６６】
試し折りにより紙折り寸法を確認して良ければ、図１３（ａ）に示すように、操作レバー１１を連続折り位置にすると、連続折りが開始される。
【００６７】
操作レバー１１が連続折り位置にある状態では、図１３（ａ）および（ｂ）に示すように、クラッチスプリングクランク６４のカムピン６４ｂおよび紙切れスイッチクランク６５のカムピン６５ｂが操作レバー１１の第一カム溝１１ｂおよび第二カム溝１１ｃの右端に位置する。このため、第一カム溝１１ｂおよびカムピン６４ｂの作用により、クラッチスプリングクランク６４が回動軸６４ａを中心として時計方向に若干旋回し、クラッチラッチ６４ｃとクラッチスプリングハブ６０ｃとの掛合が外れる。このため、プーリー６０の回転がクラッチスプリング６０ｂを介してクラッチスプリングハブ６０ｃに伝達され、給紙ローラー１７が回転し、給紙トレイ２６から用紙が１枚ずつピックアップされて、紙送りローラー１８，紙折りサブローラー２１間に供給される。よって、連続折りが開始される。
【００６８】
また、図１３（ａ）および（ｂ）に示すように、第二カム溝１１ｃおよびカムピン６５ｂの作用により、紙切れスイッチクランク６５が回動軸６５ａを中心に時計方向に旋回されていて、紙切れスイッチＳＷ１が上方に移動する。よって、スイッチカム６２ａの軌跡が紙切れスイッチＳＷ１に関係するようになり、紙切れを検出したときにモーターＭへの通電を遮断可能な状態になる。
【００６９】
図１６は、給紙トレイ２６に用紙が有って、連続折りの動作をしている状態を示す紙折り機１の中央断面図である。また、図１７（ａ）および（ｂ）は、給紙トレイ２６に用紙が有って連続折りの動作をしている状態を示す紙折り機１の要部左側板面図およびその一部抽出図である。
【００７０】
用紙が有って連続折りの動作をしている状態では、図１７（ａ）および（ｂ）に示すように、紙切れパッド１２と同軸的に取り付けられた紙切れラッチ６３がラッチ車６２ｃに掛合している。このため、減速歯車６２に矢印で示すような摩擦ブレーキ６２ｂが掛っているので、紙切れスイッチＳＷ１は、スイッチカム６２ａとの係合関係を外れて入った状態にある。
【００７１】
図１８は、給紙トレイ２６に用紙が無くなった状態（連続折りの動作は継続中）を示す紙折り機１の中央断面図である。また、図１９（ａ）および（ｂ）は、給紙トレイ２６に用紙が無くなった状態（連続折りの動作は継続中）を示す紙折り機１の要部左側板面図およびその一部抽出図である。
【００７２】
用紙が無くなった状態（連続折りの動作は継続中）では、図１８に示すように、紙切れパッド１２が最も時計方向に旋回した状態にあり、図１９（ａ）および（ｂ）に示すように、紙切れパッド１２と同軸的に取り付けられた紙切れラッチ６３がラッチ車６２ｃとの掛合を外れた直後の状態になって、スイッチカム６２ａが回転し始める。しかし、スイッチカム６２ａは、紙切れスイッチＳＷ１とはいまだ係合に至らず、紙切れスイッチＳＷ１は入った状態のままである。
【００７３】
図２０は、用紙が無くなって停止した状態を示す紙折り機１の中央断面図である。また、図２１（ａ）および（ｂ）は、用紙が無くなって停止した状態を示す紙折り機１の要部左側板面図およびその一部抽出図である。
【００７４】
用紙が無くなって停止した状態では、図２１（ｂ）に示すように、スイッチカム６２ａが回転して紙切れスイッチＳＷ１と係合し、紙切れスイッチＳＷ１が切れる。よって、紙切れスイッチＳＷ１が切れたために、モーターＭへの通電が遮断されて、給紙ローラー１７，紙送りローラー１８，紙折りメインローラー１９，紙折りサブローラー２１および紙折りサブローラー２２の回転は停止する。
【００７５】
このようにして、紙切れパッド１２と同軸的に設けられた紙切れラッチ６３がラッチ車６２ｃから外れて減速歯車６２のスイッチカム６２ａが紙切れスイッチＳＷ１を切った状態になるまでのタイムラグ時間で自動的に紙折り機本体１０の動作が停止される。
【００７６】
紙切れで紙折り機本体１０が停止したならば、操作レバー１１をストップ位置に戻す。
【００７７】
なお、上記実施例では、紙切れスイッチＳＷ１と電源スイッチＳＷ２とをモーターＭと直列に配線したが、さらに紙切れスイッチＳＷ１および電源スイッチＳＷ２と並列に排出スイッチを設けるようにしてもよい。このようにすれば、紙切れスイッチＳＷ１のオフによってモーターＭが停止しても、排出スイッチを押すことでモーターＭを回転させることができるようになり、完全には排出されなかった用紙を手動操作で排出させることができるようになる。
【００７８】
本実施例によれば、三角柱状で摩擦条件の異なる３種類のパッド面を三周面に配置する給紙パッド１６を着脱自在に配設したことにより、用紙のサイズ，重量，厚さなどが変わった場合に、給紙パッド１６の摩擦条件に大小の変化があり、１種類では対応できないときでも、給紙パッド１６の専用の適した摩擦条件を提供することができる。
【００７９】
また、本実施例によれば、紙切れパッド１２が動作することにより、ラッチ車６２ｃから紙切れラッチ６３が外れて、減速歯車６２等で時間を稼ぎながらスイッチカム６２ａが回転して紙切れスイッチＳＷ１を切ることにより、電気的にモーターＭとスイッチとだけで動作および停止を制御する紙折り機１において、電子制御基板やセンサを使わずに、最終用紙を紙折り機本体１０外に完全に排出してから停止させることができる。
【００８０】
さらに、本実施例によれば、ストップ（電源オフ）−スタート（電源オン）−試し折り（１枚折り）−連続折り（紙切れで自動停止）の一連の動作を１つの操作レバー１１の操作だけで行なえるようにしたことにより、電子制御基板やセンサ，アクチュエータを使わずに、用紙１枚の試し折りと連続折りとを可能にすることができる。
【００８１】
以上、本発明の実施の形態を説明したが、これらはあくまでも例示にすぎず、本発明はこれらに限定されるものではなく、特許請求の範囲の趣旨を逸脱しない限りにおいて、当業者の知識に基づく種々の変更が可能である。
【図面の簡単な説明】
【００８２】
【図１】本発明の一実施例に係る紙折り機の背面斜視図。
【図２】本発明の一実施例に係る紙折り機の中央断面図。
【図３】図１中の紙折り機本体の要部分解斜視図。
【図４】図３に示した紙折り機本体の正面図。
【図５】図３に示した紙折り機本体の上面図。
【図６】図３に示した紙折り機本体の右側板面図。
【図７】図３に示した紙折り機本体の左側板面図。
【図８】図３に示した紙折り機本体の要部断面図。
【図９】図８中の給紙パッドを取り出した状態を示す要部断面図。
【図１０】（ａ）および（ｂ）は本実施例に係る紙折り機における試し折りのためのスプリングクラッチ機構のストップ状態を示す要部左側板面図およびその一部抽出図。
【図１１】（ａ）および（ｂ）は本実施例に係る紙折り機における試し折りのためのスプリングクラッチ機構のスタート状態を示す要部左側板面図およびその一部抽出図。
【図１２】（ａ）および（ｂ）は本実施例に係る紙折り機における試し折りのためのスプリングクラッチ機構の試し折り状態を示す要部左側板面図およびその一部抽出図。
【図１３】（ａ）および（ｂ）は本実施例に係る紙折り機における試し折りのためのスプリングクラッチ機構の連続折り状態を示す要部左側板面図およびその一部抽出図。
【図１４】本実施例に係る紙折り機における試し折りのためのスプリングクラッチ機構の要部上面図。
【図１５】本実施例に係る紙折り機における試し折りのためのスプリングクラッチ機構の要部正面図。
【図１６】本実施例に係る紙折り機における用紙が有って連続折りの動作をしている状態を示す中央断面図。
【図１７】（ａ）および（ｂ）は本実施例に係る紙折り機における用紙が有って連続折りの動作をしている状態を示す要部左側板面図およびその一部抽出図。
【図１８】本実施例に係る紙折り機における用紙が無くなった状態（連続折りの動作は継続中）を示す中央断面図。
【図１９】（ａ）および（ｂ）は本実施例に係る紙折り機における用紙が無くなった状態（連続折りの動作は継続中）を示す要部左側板面図およびその一部抽出図。
【図２０】本実施例に係る紙折り機における用紙切れ停止および最終用紙の排出のための遅延機構を示す中央断面図。
【図２１】（ａ）および（ｂ）は本実施例に係る紙折り機における用紙切れ停止および最終用紙の排出のための遅延機構を示す要部左側板面図およびその一部抽出図。
【図２２】（ａ）ないし（ｃ）は本実施例に係る紙折り機における四つ折りの紙折り方法を説明する工程図。
【図２３】（ａ）および（ｂ）は本実施例に係る紙折り機における二つ折りの紙折り方法を説明する工程図。
【符号の説明】
【００８３】
１    紙折り機
１０  紙折り機本体
１１  操作レバー
１１ｂ  第一カム溝
１１ｃ  第二カム溝
１２  紙切れパッド
１５  パッド圧調節ツマミ
１６  給紙パッド
１７  給紙ローラー
１８  紙送りローラー
１９  紙折りメインローラー
２０  給紙カセット
２１  紙折りサブローラー
２２  紙折りサブローラー
２３  パッド圧調節クランク
２４  パッド圧調節バネ
２５  支点部材
２６  給紙トレイ
２９  斜め折れ調節ダイヤル
３０  第一紙折りテーブル
４０  第二紙折りテーブル
５０  アッパーカバー
５１  紙折り切替えレバー
６０  プーリー
６０ｂ  クラッチスプリング
６０ｃ  クラッチスプリングハブ
６２  減速歯車
６２ａ  スイッチカム
６３  紙切れラッチ
６４  クラッチスプリングクランク
６４ｂ  カムピン
６５  紙切れスイッチクランク
６５ｂ  カムピン
８０  ペーパースタッカー
１００  右側板
２００  左側板
ＳＷ１  紙切れスイッチ
ＳＷ２  電源スイッチ
【図１】
2005239305.tif 000003
【図２】
2005239305.tif 000004
【図３】
2005239305.tif 000005
【図４】
2005239305.tif 000006
【図５】
2005239305.tif 000007
【図６】
2005239305.tif 000008
【図７】
2005239305.tif 000009
【図８】
2005239305.tif 000010
【図９】
2005239305.tif 000011
【図１０】
2005239305.tif 000012
【図１１】
2005239305.tif 000013
【図１２】
2005239305.tif 000014
【図１３】
2005239305.tif 000015
【図１４】
2005239305.tif 000016
【図１５】
2005239305.tif 000017
【図１６】
2005239305.tif 000018
【図１７】
2005239305.tif 000019
【図１８】
2005239305.tif 000020
【図１９】
2005239305.tif 000021
【図２０】
2005239305.tif 000022
【図２１】
2005239305.tif 000023
【図２２】
2005239305.tif 000024
【図２３】
2005239305.tif 000025